(57)【要約】【課題】微弱な赤外線信号でも減衰することなく換気扇装置を駆動する信号を伝える加熱調理器を提供すること。【解決手段】天板四隅の角部の少なくとも１か所を削除して設けた収納部と、収納部に収納される赤外線通信装置とで構成し、耐熱ガラスでできた天板６を介さずに赤外線信号を換気扇装置２９に送信することで、赤外線信号が遮られることがなく確実に赤外線信号を換気扇装置２９と送受信することができる。【選択図】図１
2009293892.tif 000002
【特許請求の範囲】
【請求項１】
キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記天板四隅の角部の少なくとも１か所を削除して設けた収納部と、前記収納部に収納される赤外線通信装置とで構成した加熱調理器。
【請求項２】
収納部は天板四隅の角部の少なくとも一方を略直線で切断して天板を削除するとともに、外枠で囲まれた略直角三角形の形状を成し、赤外線通信装置は前記収納部に収納された構成とした請求項１に記載の加熱調理器。
【請求項３】
赤外線通信装置は、天板とは異なる部材で構成された防水部材で防水される構成とした請求項１または２に記載の加熱調理器。
【請求項４】
赤外線通信装置は、外枠の一部が収納部の上面を構成して収納される構成とした請求項１または２に記載の加熱調理器。
【請求項５】
天板と収納部の間に天板上面より高い凸部を備えた構成とした請求項１から４のいずれか１項に記載の加熱調理器。
【請求項６】
天板外周はキッチンに載置され、赤外線通信装置はキッチン上面より上方に位置する構成とした請求項１から５のいずれか１項に記載の加熱調理器。
【請求項７】
キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記外枠の加熱装置より後方の位置に少なくとも１か所以上に設けた収納部と、前記収納部に収納される赤外線通信装置とで構成した加熱調理器。
【請求項８】
赤外線通信装置の一部は、キッチン上面より下方に位置する構成とした請求項７に記載の加熱調理器。
【請求項９】
収納部に赤外線通信装置と制御回路の電源スイッチを収納する構成とした請求項１から８のいずれか１項に記載の加熱調理器。
【請求項１０】
赤外線通信装置は送信または受信機能のみを有する構成とした請求項１から９のいずれか１項に記載の加熱調理器。
【発明の詳細な説明】
【技術分野】
【０００１】
本発明は、換気扇装置と連動する加熱調理器に関するものである。
【背景技術】
【０００２】
従来、この種の換気扇装置と連動する加熱調理器は、加熱調理器の前部の操作部付近に備えた発信装置から赤外線を発信して、天板を構成するガラス板を通過させた赤外線を換気扇装置に備えた受信装置で受信する構成としていた（例えば、特許文献１参照）。
【特許文献１】特開２００３−８３５５０号公報
【発明の開示】
【発明が解決しようとする課題】
【０００３】
しかしながら、前記従来の構成では、加熱調理器に備えられた発信装置が天板を構成するガラス板を介して赤外線を換気扇装置に発信するために、赤外線がガラス板を通貨するときに減衰するといった課題があった。また、ガラス板の上には鍋やフライパン等の取っ手や調理する人の頭や手が発信装置の上方を覆い、発信された赤外線を遮断するといった課題があった。
【０００４】
本発明は、前記従来の課題を解決するもので、微弱な赤外線信号でも減衰することなく換気扇装置を駆動する信号を伝えることができ、また、鍋やフライパンの取っ手や人の手や頭が発信された赤外線を遮蔽することなく、かつ従来の換気扇装置にも簡単にその効果を適用できる加熱調理器を提供することを目的とする。
【課題を解決するための手段】
【０００５】
前記従来の課題を解決するために、本発明の加熱調理器は、キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記天板四隅の角部の少なくとも１か所を削除して設けた収納部と、前記収納部に収納される赤外線通信装置とで構成したものである。
【０００６】
これによって、赤外線通信装置の発信する赤外線は微弱な信号でも減衰の原因になる数ミリ厚のガラス板を介さないので、換気扇装置を駆動することができる。赤外線通信装置の出力を大きなものにする必要がなく、経済的な部材で構成することができるとともに、省エネにもなる。また、天板四隅の角部の少なくとも１か所に設けているので、加熱装置の上に位置するガラスの上方に鍋やフライパンの取っ手や人の頭や手があっても、天板隅に位置する赤外線通信装置の発信する赤外線を遮蔽することがなく、確実に換気扇装置を駆動することができる。
【０００７】
また、本発明の加熱調理器は、収納部は天板四隅の角部の少なくとも一方を略直線で切断して天板を削除するとともに、外枠で囲まれた略直角三角形の形状を成し、赤外線通信装置は前記収納部に収納された構成したものである。
【０００８】
これによって、加熱調理器の外寸を大きくすることなく天板を構成するガラス板を直線的にカットするだけで赤外線通信装置を収納することができる。また、天板四隅の角部の少なくとも１か所に設けているので、加熱装置の上に位置するガラスの上方に鍋やフライパンの取っ手や人の頭や手があっても、天板隅に位置する赤外線通信装置の発信する赤外線を遮蔽することがなく、確実に換気扇装置を駆動することができる。
【０００９】
また、本発明の加熱調理器は、赤外線通信装置は、天板とは異なる部材で構成された防水部材で防水される構成としたものである。
【００１０】
これによって、赤外線通信装置を簡便に防水構成にすることができる。また、経済的な部材で防水構成を構築することができる。
【００１１】
また、本発明の加熱調理器は、赤外線通信装置は、外枠の一部が収納部の上面を構成して収納される構成としたものである。
【００１２】
これによって、防水部材を構成する材料の一部を外枠で形成することで経済的であり、かつ外枠の外寸を大きくすることなく形成できるので、余分な材料を必要とせず省資源になる。
【００１３】
また、本発明の加熱調理器は、天板と収納部の間に天板上面より高い凸部を備えた構成としたものである。
【００１４】
これによって、天板上で鍋等を転倒して液体が天板上を流れても、凸部が防波堤のようになって収納部に液体が流れ込むことがないので、換気扇装置を駆動する赤外線通信装置から発信する赤外線を液体が遮蔽することがなく、確実に換気扇装置を駆動させることができる。
【００１５】
また、本発明の加熱調理器は、天板外周はキッチンに載置され、赤外線通信装置はキッチン上面より上方に位置する構成としたものである。
【００１６】
これによって、キッチンの穴部を追加加工することなく赤外線通信装置を天板の四隅の一部に収納することができる。
【００１７】
また、本発明の加熱調理器は、キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記外枠の加熱装置より後方の位置に少なくとも１か所以上に設けた収納部と、前記収納部に収納される赤外線通信装置とで構成したものである。
【００１８】
これによって、本体後方から赤外線信号を上方に発信することができるので、本体前方で鍋の把手や操作する人の頭や手が赤外線通信装置の信号を遮ることがなく、確実な通信を行うことができる。
【００１９】
また、本発明の加熱調理器は、赤外線通信装置の一部は、キッチン上面より下方に位置する構成としたものである。
【００２０】
これによって、本体後方のキッチンの上面より下方に位置する本体内の空間に赤外線通信装置を収納することができるので、赤外線通信装置構成の自由度が大きくなり、設計的にも経済的にも生産性が改善できる。
【００２１】
また、本発明の加熱調理器は、収納部に赤外線通信装置と制御回路の電源スイッチを収納する構成としたものである。
【００２２】
これによって、電源スイッチを天板近傍に配置することができ、調理する姿勢のままで
操作することができ、また調理する姿勢のままで電源スイッチの位置や状態を見ることができるので、操作性に優れている。
【００２３】
さらに、本発明の加熱調理器は、赤外線通信装置は送信または受信機能のみを有する構成としたものである。
【００２４】
これによって、送受信機能のうちの必要最小限の機能を備えることで、経済的な調理器を提供することができる。
【発明の効果】
【００２５】
本発明の加熱調理器は、赤外線通信装置の発信する赤外線は微弱な信号でも減衰の原因になる数ミリ厚のガラス板を介さないので、換気扇装置を駆動することができる。赤外線通信装置の出力を大きなものにする必要がなく、経済的な部材で構成することができるとともに、省エネにもなる。
【発明を実施するための最良の形態】
【００２６】
第１の発明は、特に、キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記天板四隅の角部の少なくとも１か所を削除して設けた収納部と、前記収納部に収納される赤外線通信装置とで構成することにより、赤外線通信装置の発信する赤外線は微弱な信号でも減衰の原因になる数ミリ厚のガラス板を介さないので、換気扇装置を駆動することができる。赤外線通信装置の出力を大きなものにする必要がなく、経済的な部材で構成することができるとともに、省エネにもなる。また、天板四隅の角部の少なくとも１か所に設けているので、加熱装置の上に位置するガラスの上方に鍋やフライパンの取っ手や人の頭や手があっても、天板隅に位置する赤外線通信装置の発信する赤外線を遮蔽することがなく、確実に換気扇装置を駆動することができる。つまり本体の調理操作と換気扇装置が確実に連動して使い勝手の良い加熱調理装置を提供することができる。
【００２７】
第２の発明は、特に、第１の発明において、収納部は天板四隅の角部の少なくとも一方を略直線で切断して天板を削除するとともに、外枠で囲まれた略直角三角形の形状を成し、赤外線通信装置は前記収納部に収納された構成と構成とすることで、加熱調理器の外寸を大きくすることなく天板を構成するガラス板を直線的にカットするだけで赤外線通信装置を収納することができる。また、天板四隅の角部の少なくとも１か所に設けているので、加熱装置の上に位置するガラスの上方に鍋やフライパンの取っ手や人の頭や手があっても、天板隅に位置する赤外線通信装置の発信する赤外線を遮蔽することがなく、確実に換気扇装置を駆動することができる。
【００２８】
第３の発明は、特に、第１または第２の発明において、赤外線通信装置は、天板とは異なる部材で構成された防水部材で防水される構成とすることにより、赤外線通信装置を簡便に防水構成にすることができる。また、経済的な部材で防水構成を構築することができる。
【００２９】
第４の発明は、特に、第１または第２の発明において、赤外線通信装置は、外枠の一部が収納部の上面を構成して収納される構成とすることにより、防水部材を構成する材料の一部を外枠で形成することで経済的であり、かつ外枠の外寸を大きくすることなく形成できるので、余分な材料を必要とせず省資源になる。
【００３０】
第５の発明は、特に、第１から第４の発明において、天板と収納部の間に天板上面より
高い凸部を備えた構成とすることにより、天板上で鍋等を転倒して液体が天板上を流れても、凸部が防波堤のようになって収納部に液体が流れ込むことがないので、換気扇装置を駆動する赤外線通信装置から発信する赤外線を液体が遮蔽することがなく、確実に換気扇装置を駆動させることができる。
【００３１】
第６の発明は、特に、第１から第５の発明において、天板外周はキッチンに載置され、赤外線通信装置はキッチン上面より上方に位置する構成とすることにより、キッチンの穴部を追加加工することなく赤外線通信装置を天板の四隅の一部に収納することができる。
【００３２】
第７の発明は、特に、キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記外枠の加熱装置より後方の位置に少なくとも１か所以上に設けた収納部と、前記収納部に収納される赤外線通信装置とで構成することにより、本体後方から赤外線信号を上方に発信することができるので、本体前方で鍋の把手や操作する人の頭や手が赤外線通信装置の信号を遮ることがなく、確実な通信を行うことができる。
【００３３】
第８の発明は、特に、第７の発明において赤外線通信装置の一部は、キッチン上面より下方に位置する構成とすることにより、本体後方のキッチンの上面より下方に位置する本体内の空間に赤外線通信装置を収納することができるので、赤外線通信装置構成の自由度が大きくなり、設計的にも経済的にも生産性が改善できる。
【００３４】
第９の発明は、特に、第１から第８の発明において、収納部に赤外線通信装置と制御回路の電源スイッチを収納する構成とすることにより、電源スイッチを天板近傍に配置することができ、調理する姿勢のままで操作することができ、また調理する姿勢のままで電源スイッチの位置や状態を見ることができるので、操作性に優れた加熱調理器を提供することができる。
【００３５】
第１０の発明は、特に、第１から第９の発明において、赤外線通信装置は送信または受信機能のみを有する構成とすることにより、送受信機能のうちの必要最小限の機能を備えることで、経済的な加熱調理器を提供することができる。
【００３６】
以下、本発明の実施の形態について、図面を参照しながら説明する。なお、この実施の形態によって本発明が限定されるものではない。
【００３７】
（実施の形態１）
図１は、本発明の第１の実施の形態における加熱調理器の斜視図である。図２は、本発明の第１の実施の形態における加熱調理器の部分斜視図である。図３は第１の本発明の実施の形態における加熱調理器の部分断面図である。
【００３８】
図１において、キッチン１には幅５６０ｍｍ奥行き４６０ｍｍの穴部２が設けてあり、ガスコンロやＩＨクッキングヒーター３等が収納されるように統一規格化されている。この穴部２に加熱調理器であるＩＨクッキングヒーター３を収納する。略直方体の本体４の天面５には結晶化ガラスで形成した厚さ４ｍｍの天板６が取り付けられている。天板６の大きさは幅６００ｍｍ奥行き５１６ｍｍであり、穴部２に本体４を収納すると、左右方向でキッチン上面７に片側が約２０ｍｍ掛かり、前後方向で片側約２８ｍｍ掛かることとなる。
【００３９】
天板６の下部で本体４内の左右方向に位置するように加熱装置である加熱コイル８が配
置されている。左の加熱コイル８の下方には魚等を焼くグリル９が配置されていて、本体４前面から調理物を出し入れする扉１０が備えられている。右の加熱コイル８の下方には加熱コイル８への電力を供給し制御する制御回路１１が配置されている。制御回路１１の前方で本体４の前面に開閉自在な操作部１２が配置されている。操作部１２で前記グリル９の調理を操作する。被加熱物である鍋１３は前記天板６上で加熱コイル８上の位置に載置する。
【００４０】
前記天板６の加熱コイル８より前部端近傍に加熱コイル８を操作するスイッチ１４が配置されている。スイッチ１４はガラスで形成されている天板６を介して静電気で動作する静電タッチ式の構成をしている。天板６上に印刷されたスイッチ１４に触れると天板６下面に備えられた電極（図示せず）が電気的に反応してスイッチ１４の操作を検知する。
【００４１】
本体４後方右側に位置するとともに加熱コイル８より後ろの位置に吸気口１５が配置されている。吸気口１５は天板６の後ろに位置し、天板６とは別部材で構成される。吸気口１５はステンレス板で形成されている。吸気口１５の下近傍には吸気用の冷却ファン１６が備えられている。吸気口１５が本体４の右側に位置するのは本体４内の右側に前記制御回路１１を内蔵するからである。前記冷却ファン１６は吸気口１５直下に配置されるので、吸気口１５から最短の距離で吸気するとともに、冷却ファン１６の前に制御回路１１が配置されているので、最短距離で制御回路１１に冷却風を送風することができる。
【００４２】
本体４後方左側に位置するとともに加熱コイル８より後ろの位置に排気口１７が配置されている。本体４左側にはグリル９が配置されている。排気口１７からは前記吸気口１５から吸気して本体４内の制御回路１１や加熱コイル８を冷却した空気が排気される。排気口１７は天板６の後ろに位置し、前記吸気口１５と同じステンレス板で形成され、天板６とは別部材で構成されることとなる。吸気口１５と排気口１７にはカバー１８が載置されている。
【００４３】
天板６外周にはステンレス鋼板をプレス加工して形成するかまたは鋼板をプレス加工した後にホーロー処理をした外枠１９が取り付けられている。外枠１９は略長方形で幅が約６００ｍｍで奥行きが約５１６ｍｍであり、略天板６に沿って取り付けられている。
【００４４】
天板６の四隅のうち右前の角部２０について詳細に説明する。角部２０の天板６は直線的にカットされている。カットされた天板６を補うように外枠１９から収納部２１を伸設して設けている。収納部２１の形状はカットされた直線部を最長辺とする略直角三角形である。この収納部２１の上面は外枠１９の上面から一段下がった高さになっていて、天板６との間には凸部２２が外枠１９の一部をプレス加工して形成してある。凸部２２の上面は外枠１９の上面と同じ高さに設定してある。
【００４５】
収納部２１の下面はキッチン上面７である。したがって、収納部２１が外枠１９の四隅のどの角に位置しても、収納部２１の位置に合わせてキッチン１をカットするといった加工は必要ない。収納部２１は外枠１９の下で外枠１９内方に位置することとなる。
【００４６】
収納部２１上面を形成する外枠１９の一部に防水部材であるメンブレン２３を水密的に貼り付けてある。メンブレン２３は防水部材であるとともに操作部１２の印刷も施される。収納部２１には操作基板２４が収納固定されている。電源スイッチ２５と赤外線通信装置２６が操作基板２４に電気的に接続されている。また、メンブレン２３の電源スイッチ２５上に位置する部分にはエンボス加工が施されていて、外枠１９の電源スイッチ２５上部には貫通穴２７が設けてあるので、エンボス２８を押して貫通穴２７を介して電源スイッチ２５を操作することができる。
【００４７】
また、外枠１９の赤外線通信装置２６上部には信号貫通穴２９が設けてある。信号貫通穴２９の上には前記メンブレン２３が水密的に貼り付けられている。赤外線通信装置２６はメンブレン２３を介して信号を送受信することとなる。赤外線通信装置２６の位置は外枠１９の右端に位置するので、右の加熱コイル８よりもさらに外側に位置することとなる。特に、本体４よりも外枠１９は片側で約３０ｍｍ外に伸びていて、キッチン１への掛かり代になっている。一方加熱コイル８は本体４内に内蔵されているので、本体４を穴部２に収納すると穴部２の内側に位置することになる。つまり、赤外線通信装置２６は加熱コイル８のどの部分よりも本体４中心からは右側に位置することとなる。
【００４８】
本体４上方には換気扇装置３０が備えられている。換気扇装置３０は天蓋３１の内方に配置されて、天蓋３１で誘導収集した煙を室外に排気する。換気扇装置３０には前述の赤外線通信装置２６から発信された赤外線信号を受信する受信装置３２が備えられている。
【００４９】
受信装置３２の位置は換気扇装置３０の前側に位置している。受信装置３２の受信指向性はキッチン上面からの信号を受信するように構成されている。
【００５０】
前記赤外線通信装置２６から発信された赤外線は本体４上方の約１００度の角度で放射される。受信装置３２は信号を受信すると、換気扇装置３０は信号により駆動される。
【００５１】
以上のように構成された加熱調理器において、以下その動作、作用を説明する。
【００５２】
まず、天板６に鍋１３を置く。電源スイッチ２５を操作する。次にスイッチ１４を操作して制御回路１１から加熱コイル８に高い周波数の電流を流す。加熱コイル８から発生した磁束により鍋１３の底に渦電流が発生して発熱する。鍋１３の中の調理物は加熱に伴い蒸気を発生する。また本体４の排気口１７からは制御回路１１や加熱コイル８から発生した熱損失分を冷却した熱風が排気口１７から排出される。操作部１２を操作して赤外線通信装置２６から換気扇装置３０を動作させる赤外線信号を発信する。
【００５３】
赤外線通信装置３０から上向きに発信された赤外線はメンブレン２３を介して上方に放射される。信号はやがて受信装置３２に到達する。受信装置３２に受信された赤外線信号により換気扇装置３０が駆動される。
【００５４】
調理が終了した後しばらくは室内の換気をするために換気扇装置３０を運転しているが、やがて換気が終了すると操作部１２を操作して、赤外線通信装置３０から停止信号である赤外線信号を発信し、受信装置３２で停止信号を受信して換気扇装置３０は停止する。
【００５５】
赤外線通信装置２６からの赤外線信号は、操作部１２からの直接の操作によるものや、制御回路１１が自動的に操作信号を出して換気扇装置３０を作動させたり停止させたりすることができる。赤外線通信装置２６と受信装置３２の間で信号の送受信ができれば信号の発信源は人でも制御回路１１でも良い。また、信号の送受信は赤外線通信装置２６と受信装置３２の間で通信を行うことにより成立する。その通信の送受信方向は仕様に基づいて決定すればよい。
【００５６】
（実施の形態２）
図４は、本発明の第２の実施の形態における加熱調理器の部分斜視図である。
【００５７】
外枠４０に形成された収納部４１の上部形状が異なること意外は実施の形態１と同じ符号のものは同じ形状であり同じ機能である。
【００５８】
図４において、外枠４０の収納部４１上面の高さ関係は外枠４０の上面と収納部４１の
上面が同じ高さである、メンブレン２３を貼る位置が実施の形態１の凸部２２上面と同じ位置となる。つまり、天板６の上面よりメンブレン２３の位置は上であり、かつ実施の形態１の凸部２２の上面が伸長して収納部４１上面を形成していることとなる。
【００５９】
上記の内容も含めて、符号と名称が実施の形態１と同じものは実施の形態１と同じ機能であるので説明を省略する。
【００６０】
以上のように構成された加熱調理器において、以下その動作、作用を説明する。
【００６１】
まず、天板６に鍋１３を置く。電気的な操作や動作は実施の形態１と同じであるので省略する。天板６に置いた鍋１３をひっくり返してしまい、中の液体が天板６にあふれた場合について、詳細を述べる。天板６にあふれたスープ等の液体は収納部４１近傍に流れてくるが、天板６より約６ｍｍ高い収納部４１上面までは乗り上げては来ない。したがって、赤外線通信装置２６の上に異物が付着して通信ができなくなるといった不具合は発生しない。
【００６２】
また、仮に収納部４１の上面まで液体が乗り上げてきても、天板６よりも高い位置にあるので、一瞬は液体に浸されるが、すぐに流れ去るので、メンブレン２３上に滞留することはない。メンブレン２３上に赤外線を遮るものがないので、赤外線通信装置２６の通信機能は維持されることとなる。
【００６３】
（実施の形態３）
図５は、本発明の第３の実施の形態における加熱調理器の部分斜視図である。また、図６は、本発明の第３の実施の形態における加熱調理器の部分断面図である。
【００６４】
外枠５０の左後ろ隅に収納部５１を設け、赤外線通信装置５２を収納部５１に収納している。
【００６５】
図６において、外枠５０の下方に赤外線通信装置５２を配置している。赤外線通信装置５２は本体４内部で、キッチン１上面より下に位置し、穴部２の内側に位置する。外枠５０には信号貫通穴５３を開けて、防水部材であるメンブレン５４を外枠５０下方から水密的に貼り付けている。信号貫通穴５３は吸気口１５近傍の右側に位置する。また、信号貫通穴５３は加熱コイル８のどの部分よりも後ろに位置する。つまり赤外線通信装置５２は本体４の後ろに位置するとともに加熱コイル８より後ろに位置し、かつ穴部２の中に位置し、キッチン１の上面よりも下側に収納されている。ただし、赤外線通信装置５２の一部はキッチン１の上面より上に位置することがある。
【００６６】
以上のように構成された加熱調理器において、以下その動作、作用を説明する。
【００６７】
加熱操作や加熱の動作は実施の形態１と同じであり、省略する。
【００６８】
操作部１２を操作して赤外線通信装置５２から換気扇装置３０を動作させる赤外線信号を発信する。赤外線通信装置５２から上向きに発信された赤外線はメンブレン５４を介して上方に放射される。信号はやがて受信装置３２に到達する。受信装置３２に受信された赤外線信号により換気扇装置３０が駆動される。
【００６９】
調理が終了した後しばらくは室内の換気をするために換気扇装置３０を運転しているが、やがて換気が終了すると操作部１２を操作して、赤外線通信装置５２から停止信号である赤外線信号を発信し、受信装置３２で停止信号を受信して換気扇装置３０は停止する。
【００７０】
赤外線通信装置２６からの赤外線信号は、操作部１２からの直接の操作によるものや、制御回路１１が自動的に操作信号を出して換気扇装置３０を作動させたり停止させたりすることができる。赤外線通信装置５２と受信装置３２の間で信号の送受信ができれば信号の発信源は人でも制御回路１１でも良い。また、信号の送受信は赤外線通信装置５２と受信装置３２の間で通信を行うことにより成立する。その通信の送受信方向は仕様に基づいて決定すればよい。
【００７１】
スイッチ１４の操作時や調理中に天板６の前に人の手や頭またはフライパンや鍋１３の取っ手が位置するが、換気扇装置３０と本体４との間に前述のものが位置しても、赤外線通信装置５２は本体４の後ろ右角に位置するので、障害物に邪魔されることなく換気扇装置３０との赤外線信号の送受信を行うことができる。
【００７２】
なお、実施の形態１では収納部２１の形状を直角三角形の形にしたが、収納部２１の形状は加工しやすい任意の形状で良い。
【００７３】
また、実施の形態２では収納部４１上面の高さを外枠４０の上面と同じ高さにしたが、外枠４０の上面より高くしても良い。液体が滞留しない形状と位置であれば良い。
【００７４】
また、実施の形態１と実施の形態２と実施の形態３では、赤外線通信装置２６、５２を収納する収納部２１、４１、５１が右の角に設けたが、左の角に設けてもその機能と効果は同じである。
【００７５】
さらに、実施の形態３では赤外線通信装置５２の位置を穴部２の内側にしたが、穴部２の外側に位置しても良い。赤外線通信装置５２の配置をキッチン１の上面より低い位置にしたが、キッチン１の上面より高い位置にしても良い。
【産業上の利用可能性】
【００７６】
以上のように、本発明にかかる加熱調理器は、赤外線通信装置を天板をカットした隅に位置させて、ガラス板を介することなく赤外線信号による送受信を換気扇装置と行うことができる構成にすることで、赤外線が減衰することなく、また、赤外線信号が取っ手や調理する人の手等で遮蔽されることなく、より確実に送受信することができる。
【図面の簡単な説明】
【００７７】
【図１】本発明の実施の形態１における加熱調理器の斜視図
【図２】本発明の実施の形態１における加熱調理器の収納部の部分斜視図
【図３】本発明の実施の形態１における加熱調理器の収納部の部分断面図
【図４】本発明の実施の形態２における加熱調理器の収納部の部分斜視図
【図５】本発明の実施の形態３における加熱調理器の斜視図
【図６】本発明の実施の形態３における加熱調理器の収納部の部分断面図
【符号の説明】
【００７８】
１  キッチン
２  穴部
４  本体
５  天面
６  天板
７  キッチン上面
８  加熱コイル（加熱装置）
１１  制御回路
１３  鍋（被加熱物）
１９  外枠
２１  収納部
２２  凸部
２３  メンブレン（防水部材）
２５  電源スイッチ
２６  赤外線通信装置
４０  外枠
４１  収納部
５０  外枠
５１  収納部
５２  赤外線通信装置
５４  メンブレン（防水部材）
【図１】
2009293892.tif 000003
【図２】
2009293892.tif 000004
【図３】
2009293892.tif 000005
【図４】
2009293892.tif 000006
【図５】
2009293892.tif 000007
【図６】
2009293892.tif 000008